(57)【要約】      （修正有）【課題】感度特性の高い感圧センサを提供する。【解決手段】２本の心線１、１ａを介在５を介して撚り合わせ、その外周面に押え巻きテープ６を巻き付けた後、樹脂被覆７をした感圧センサＰである。一方の心線１ａは、導体２を導電性弾性体層３で被覆し、他の心線１はさらにその導電性弾性体層外周に絶縁編組４を設けたものである。踏み付け等によって押圧されると、両心線の導電性弾性体層が絶縁編組内に食い込んで両導電性弾性体層が導通する。このとき、絶縁編組が一方の心線のみに設けてあるため、両心線の両導電性弾性体層間の距離は、両心線に絶縁編組がある場合に比べれば短くなっており、導電性弾性体層の絶縁編組の隙間への食い込みによる接触が円滑となる。このため、感度が高いものとなる。【選択図】図１
2014173911.tif 000002
【特許請求の範囲】
【請求項１】
２本の心線（１、１ａ）を撚り合わせた感圧センサ（Ｐ）であって、一方の心線（１ａ）は、導体（２）を導電性弾性体層（３）で被覆したものであり、他の心線（１）は、導体（２）を導電性弾性体層（３）で被覆し、さらにその外周に絶縁編組（４）を設けたものであり、押圧されると、前記両心線（１、１ａ）の導電性弾性体層（３、３）が前記絶縁編組（４）内に食い込んで両導電性弾性体層（３、３）が導通することを特徴とする感圧センサ。
【請求項２】
上記２本の心線（１、１ａ）の撚り合わせピッチを変更することによって、感度を調節できることを特徴とする請求項１に記載の感圧センサ。
【請求項３】
上記２本の心線（１、１ａ）に加えて２本の絶縁心線（８）を撚り合わせ、その両絶縁心線（８、８）を押圧位置検知用としたことを特徴とする請求項１又は２に記載の感圧センサ。
【請求項４】
上記心線（１、１ａ）又は上記心線（１、１ａ）と上記絶縁心線（８）を介在（５）を介して撚り合わせ、その外周面を樹脂被覆（７）したことを特徴とする請求項１乃至３のいずれか１項に記載の感圧センサ。
【発明の詳細な説明】
【技術分野】
【０００１】
この発明は、２本の心線を撚り合わせた感圧センサであって、加圧によって前記心線が短絡してその加圧状態を感知する感圧センサ（加圧センサ）に関するものである。
【背景技術】
【０００２】
液化天然ガス（ＬＮＧ）基地、工場又は大邸宅などでは、その施設（敷地）内への侵入者を防ぐ措置が講じられるようになってきている。この侵入者防止策としてその施設の周りに壁を設けたりするが、侵入者が入り込んだことを知る手段として、その壁にそって線状感圧センサを敷設し、その感圧センサを侵入者が踏むと、その踏み圧（押圧、加圧）を感圧センサが検知（感知）して報知するものがある。通常、この種の感圧センサは百メートル以上に亘って敷設される。
【０００３】
その感圧センサＰ’として、例えば、図６に示すように、可撓電気導体２の外周に、導電性弾性体層３、絶縁繊維糸の絶縁編組４を順々に設けた心線１をジュート等の介在５を介して撚り合わせ、その周りにテープ６を押え巻きした後、保護外被（シース）７を設けたものがある（特許文献１第２頁上右欄第４〜１６行、第１図参照）。
この感圧センサＰ’は、その長さ方向を壁等に沿って敷設し、侵入者等によってその長さ方向の何れかの位置が踏み付け等によって押圧（加圧）されると、両心線１、１の導電性弾性体層３が絶縁編組４の隙間４ａに食い込んで（食い入って）接触し、その接触によって両心線１、１の導体２、２が導通（短絡）し、その導通による警報ランプの点灯や鳴呼等によってその侵入を報知する。
【０００４】
また、他の感圧センサとして、可撓電気導体の周上に、内側導電性弾性体層、絶縁繊維糸の絶縁編組、外側導電性弾性体層を順々に設け、その外側導電性弾性体層の外面に金属箔条を縦添えし、この周りに保護外被を設けた同軸タイプのものもある（特許文献２第２頁上右欄第４〜１９行、第１図参照）。
この感圧センサも、上記感圧センサＰ’と同様に、その長さ方向を壁等に沿って敷設し、侵入者等によってその長さ方向の何れかの位置が踏み付け等によって押圧（加圧）されると、内外導電性弾性体層が絶縁編組の隙間に食い込んで接触し、その接触によって可撓電気導体と金属箔が導通し、その導通による警報ランプの点灯や鳴呼等によってその侵入を報知する。
【先行技術文献】
【特許文献】
【０００５】
【特許文献１】実公平１−２５４６３号公報
【特許文献２】実公平１−２５４６２号公報
【発明の概要】
【発明が解決しようとする課題】
【０００６】
上記従来の感圧センサＰ’は、図６、図７から理解できるように、両心線１、１の絶縁編組４、４が両導電性弾性体層３、３の間にあって、その間隙が大きく、また、両絶縁編組４、４が互いに交差した状態で重なるため、導電性弾性体層３の絶縁編組４の隙間４ａへの食い込みによる接触が円滑ではなく、感度が低いものとなっていた。
また、両心線１、１が絶縁編組４、４を有することから、上記感圧センサＰ’は従来の絶縁編組を利用した同軸タイプの感圧センサ（特許文献２参照）に比べて外径が太くなるという問題があった。
一方、同軸タイプの感圧センサは、感度調整を行うためには、異なる編組密度の絶縁編組を用意する必要があるため、感度調整が難しいという問題がある。
【０００７】
この発明は、上記実状の下、上記感圧センサＰ’において、その感度を高めること等を課題とする。
【課題を解決するための手段】
【０００８】
上記課題を達成するため、この発明は、一方の心線の絶縁編組によっても両心線導体の接触を防止し得る（絶縁し得る）ことに着目し、その両心線の一方の絶縁編組を除去することとしたのである。
絶縁編組が両心線の一方のみであれば、両心線の両導電性弾性体層間の距離は、両心線にそれぞれ絶縁編組がある場合に比べれば短くなるため、導電性弾性体層の絶縁編組の隙間への食い込みによる接触が円滑となって感度が高いものとなる。
また、絶縁編組が両心線の一方のみであるため、その絶縁編組がない分、この感圧センサは外径が細くなり、従来の同軸タイプとほぼ同一の外径にすることができる。
【０００９】
この発明の構成としては、２本の心線を撚り合わせた感圧センサであって、一方の心線は導体を導電性弾性体層で被覆したものであり、他の心線は、導体を導電性弾性体層で被覆し、さらにその外周に絶縁編組を設けたものであり、押圧されると、前記両心線の導電性弾性体層が前記絶縁編組内に食い込んで両導電性弾性体層が導通する構成を採用することができる。
【００１０】
この構成において、上記２本の心線の撚り合わせピッチを変更することで、その感度を調節することができる。具体的には、ピッチを短くすれば、押圧された際に、その押圧を支える支点の数（ピッチの節数）が増えるため、感度が鈍くなる。逆に、撚り合わせピッチを長くすればその押圧を支える支点の数（ピッチの節数）が減るため、感度が高くなる。
この点を考慮して、その両心線の撚り合わせピッチは、適切な感度を得ることができるように適宜に設定すれば良いが、例えば、下記表１に示すように、導電性弾性体層３にシリコンゴム（硬度：６０）を用いてその厚さを０．８ｍｍ程度とし、絶縁編組４にテトロン糸を用いてその厚さを１．２ｍｍ程度とし、外径を１１ｍｍ程度とした感圧センサの場合、その撚り合わせピッチを３０ｍｍ〜８０ｍｍとする。ピッチが３０ｍｍより小さくなると、単位長さ当りの撚り合わせピッチの節数が多くなることで、検知対象物を支える個々の支点（節）にかかる押圧が小さくなるため、人の踏み圧等によって押圧されても感度が鈍く、感応しない場合が生じる。ピッチが８０ｍｍより大きくなると、その節間距離が検知対象物の幅（人の足幅）より大きくなるため、押圧位置によっては感応しない場合が生じる。なお、シリコンゴムの硬度は、ＪＩＳ  Ｋ６２５３デュロメータタイプＡによる。  
【００１１】
また、両心線の導電性弾性体層の厚みも適切な感度を得ることができるように適宜に設定すれば良いが、例えば、下記表１に示すように、導電性弾性体層３にシリコンゴム（硬度：６０）を用い、絶縁編組４にテトロン糸を用いてその厚さ１．２ｍｍ程度とし、外径を１１ｍｍ程度とした感圧センサの場合、０．４〜１．２ｍｍとする。０．４ｍｍより小さくなると、人の踏み圧等によって押圧された際、導電性弾性体層の絶縁編組の隙間への食い込みが相対的に小さく、両導電性弾性体層同士が接触しにくくなるため、感度が鈍くなる。１．２ｍｍより大きくなると、導電性弾性体層の絶縁編組の隙間への食い込みが大きくなりすぎて、両導電性弾性体層同士が接触しやすくなり、誤動作の原因となる。
【００１２】
さらに、この構成の感圧センサは、上記２本の心線に加えて２本の絶縁心線を撚り合わせ、その両絶縁心線でもって押圧位置検知用とすることができる。
以上の各構成の感圧センサは、２本の心線を又はその２本の心線に加えて２本の絶縁心線が露出した状態でも良いが、防水性、耐薬品性等の面から、その各心線を介在を介して撚り合わせ、その外周面を樹脂被覆したものとすることが好ましい。
【発明の効果】
【００１３】
この発明は、以上のように構成したので、感度のよい感圧センサを得ることができる。
【図面の簡単な説明】
【００１４】
【図１】この発明の一実施形態の断面図
【図２】他の実施形態の断面図
【図３】他の実施形態の断面図
【図４】同実施形態の感度試験説明図
【図５】撚りピッチと感度（動作荷重）の関係図
【図６】従来例の断面図
【図７】絶縁編組部分の拡大図
【発明を実施するための形態】
【００１５】
この発明に係る感圧センサＰの一実施形態を図１に示し、この実施形態の感圧センサＰは、図６に示した感圧センサＰ’において、一方の心線１の絶縁編組４を省略したものである。すなわち、図１に示すように、２本の心線の一方１ａは導体２を導電性弾性体層３で被覆したのみのもの、他方の心線１は従来と同様に導体２を導電性弾性体層３で被覆し、さらにその外周に絶縁編組４を設けたものとし、この２本の心線１、１ａを、従来と同様にして介在５を介して撚り合わせ、その周りにテープ６を押え巻きした後、樹脂被覆（保護外被）７を設けた感圧センサＰである。
この感圧センサＰは、その長さ方向の何れかが踏み付け等によって押圧されると、その押圧によって両心線１、１ａの導電性弾性体層３、３が絶縁編組４の隙間４ａ内に食込んで両導電性弾性体層３、３が導通する。この導通による信号でもって警報ランプの点灯や鳴呼等によってその押圧を報知する。
【００１６】
図２、図３には、他の各実施形態の感圧センサＰ１、Ｐ２を示し、図２の圧力センサＰ１は、可撓電気導体８ａの外周に絶縁樹脂被覆８ｂを設けた絶縁心線８を２本加え、その２本の絶縁心線８、８と上記心線１、１ａを介在５を介して撚り合わせ、その周りにテープ６を押え巻きした後、樹脂被覆７を設けたものである。図３の感圧センサＰ２は、その絶縁心線８を１本としたものである。
【００１７】
この絶縁心線８を加えた感圧センサＰ１、Ｐ２の押圧位置検知は、例えば、実開昭６３−５７５４７号公報、特許第２６６８４４７号公報、特開２００２−２７７３４１号公報、特開２００３−１１４１６１号公報等に記載の従来公知の種々の検出回路でもって検出する。
【００１８】
下記表１の組成でもって、図１に示す実施例の感圧センサＰと図６に示す従来例の感圧センサＰ’を製作した。その撚りピッチは、感圧センサＰの層心径：４．６ｍｍの約７倍の３０ｍｍ、同約９倍の４０ｍｍ、同約１１倍の５０ｍｍとした。また、絶縁編組４は、２５０デニールのテトロン糸を４本撚り合わせたものを３本合わせて逆方向に撚ったものとした。
【００１９】
この感圧センサＰ、Ｐ’を、図４に示すように金属製受け板１０上に載せて金属製加圧板１１によって加圧（押圧）し、同図に示す検出回路でもってその押圧による感度特性を試験した。金属製加圧板１０の幅は、人の踏み付け等によって押圧された場合を想定し、平均的な足幅の半分の長さ（４０ｍｍ）に設定した。
その試験は、両心線１、１ａの導体（電極）２、２の間の接触抵抗が２００Ω以下となると、リレーが瞬時に動作し、その動作時の金属製加圧板１１の加圧荷重を動作荷重として測定した。その動作荷重と撚りピッチとの関係を図５に示す。
【００２０】
【表１】
2014173911.tif 000003
【００２１】
また、図１の感圧センサＰにおいて、その心線１、１ａの導電性弾性体層３の層厚を「０．８ｍｍ」、「０．６ｍｍ」とし、同一の試験方法によって、撚りピッチを「５０ｍｍ」とした場合の動作荷重の試験結果を下記表２に示す。
【００２２】
【表２】
2014173911.tif 000004
【００２３】
この図５の試験結果から、本願に係る感圧センサＰが従来の感圧センサＰ’に比べて、８〜１３ｋｇｆ程度、動作荷重が小さく、感度が高いことが理解できる。
また、図５の試験結果から、そのピッチが短いほど、感度が鈍くなることが理解できる。
さらに、表２の試験結果から、導電性弾性体層３の層厚が薄くなれば、感度が低下することが理解できる。
【００２４】
因みに、感圧センサＰの感度は、上記撚りピッチのみならず、導電性弾性体層３の層厚や硬度、絶縁編組４の厚み、編組密度等によって変化させ得るため、実験等によって、所要の感度が得られるように、その層厚等を適宜に設定すれば良い。
【００２５】
上記実施形態の感圧センサＰ、Ｐ１、Ｐ２は、心線１、１ａが２本であって、少なくともその対の心線１、１ａがあれば、実用的な感度を担保できる範囲において、さらに、心線１又は１ａを適宜本数加えることができる。
また、上記試験例においては、絶縁編組４として、テトロン糸を使用したが、ナイロン糸、ポリエステル糸等の従来周知の材料を使用でき、介在５においても、ジュート以外に、紙紐やポリエステル紐等の従来周知の物を使用でき、さらに、樹脂被覆７も、塩化ビニル以外に、ウレタン、ポリエチレン等の従来周知の樹脂を使用できることは勿論である。
また、使用可能な範囲に於いて、介在５を介することなく又は介在を介して、各心線１、１ａ、８を寄りあわせた状態（樹脂被覆：シース７を外装しない状態）の感圧センサＰ、Ｐ１、Ｐ２とすることもできる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２６】
１  絶縁編組４を設けた心線
１ａ  絶縁編組４を設けていない心線
２  可撓電気導体
３  導電性弾性体層
４  絶縁編組
５  ジュート介在
６  押え巻き（テープ）
７  樹脂被覆（シース）
８  絶縁心線
Ｐ、Ｐ１、Ｐ２  感圧センサ（圧力センサ） 
【図１】
2014173911.tif 000005
【図２】
2014173911.tif 000006
【図３】
2014173911.tif 000007
【図４】
2014173911.tif 000008
【図５】
2014173911.tif 000009
【図６】
2014173911.tif 000010
【図７】
2014173911.tif 000011
【手続補正書】
【提出日】平成26年6月2日(2014.6.2)
【手続補正１】
【補正対象書類名】特許請求の範囲
【補正対象項目名】請求項１
【補正方法】変更
【補正の内容】
【請求項１】
２本の心線（１、１ａ）を撚り合わせた感圧センサ（Ｐ）であって、一方の心線（１ａ）は、導体（２）を導電性弾性体層（３）で被覆したのみのものであり、他の心線（１）は、導体（２）を導電性弾性体層（３）で被覆し、さらにその外周に絶縁編組（４）を設けたものであり、押圧されると、前記両心線（１、１ａ）の導電性弾性体層（３、３）が前記絶縁編組（４）内に食い込んで両導電性弾性体層（３、３）が導通することを特徴とする感圧センサ。
【手続補正２】
【補正対象書類名】明細書
【補正対象項目名】０００９
【補正方法】変更
【補正の内容】
【０００９】
この発明の構成としては、２本の心線を撚り合わせた感圧センサであって、一方の心線は導体を導電性弾性体層で被覆したのみの（その導電性弾性体層の外周に絶縁編組を設けない）ものであり、他の心線は、導体を導電性弾性体層で被覆し、さらにその外周に絶縁編組を設けたものであり、押圧されると、前記両心線の導電性弾性体層が前記絶縁編組内に食い込んで両導電性弾性体層が導通する構成を採用することができる。